(57)【特許請求の範囲】
【請求項１】
商品を収納する収納庫内を左右に冷却室と加温室に断熱区画する自動販売機の庫内仕切板であって、前記冷却室および前記加温室は、複数の商品を上下方向に並んだ状態で収納するとともに、販売時に最下位の商品を販売商品として払い出すように構成されており、前記庫内仕切板は上下方向に延びるとともに、断熱芯材は真空状態に密封した外被材で覆った真空断熱板と充填発泡された断熱部材と前記真空断熱板の表面を保護する保護シート部材とで構成され、前記真空断熱板の一面側に前記断熱部材を粘着材で接合し、他面側は前記保護シート部材を粘着材で接合して、内部に空気層が形成されるように前記真空断熱板と前記断熱部材の外周縁部を前記粘着材の粘着層で接合したことを特徴とする自動販売機の庫内仕切板。
【請求項２】
内部に空気層が形成されるように真空断熱板と保護シート部材の外周縁部を粘着材の粘着層で接合したことを特徴とする請求項１に記載の自動販売機の庫内仕切板。
【請求項３】
自動販売機の前面開口部に対面する庫内仕切板の真空断熱板側に前記真空断熱材の長さにわたって軟質発泡樹脂の充填シール部材を形成したことを特徴とする請求項１または２に記載の自動販売機の庫内仕切板。
【請求項４】
保護シート部材は表面が樹脂製で形成されていることを特徴とする請求項１または２に記載の自動販売機の庫内仕切板。
【請求項５】
真空断熱板の外被材の熱融着部が突出したヒレ部を折り曲げて、その上から保護シート部材を接合したことを特徴とする請求項１に記載の自動販売機の庫内仕切板。
【請求項６】
庫内仕切板の真空断熱板側が冷却室に、断熱部材側が加温室に面するように前記庫内仕切板を自動販売機の収納庫に配備したことを特徴とする請求項１に記載の自動販売機の庫内仕切板。
【発明の詳細な説明】
【技術分野】
【０００１】
本発明は、自動販売機内の商品収納庫を複数の収納室に仕切る庫内仕切板に関し、特に商品収納庫を冷却室と加温室とに仕切るのに好適な自動販売機の庫内仕切板に関する。
【背景技術】
【０００２】
従来、この種の自動販売機の庫内仕切板として、図４から図６に示すものがある（例えば、特許文献１参照）。
【０００３】
図４に示すように、自動販売機２には、内部に商品収納庫３が配置されており、この商品収納庫３は、２枚の庫内仕切板１，１ｘによって左、中央、右の３つの収納室４ａ，４ｂ，４ｃに仕切られており、左収納室４ａは、冷却専用の冷却室として使用される。また、中央および右収納室４ｂ，４ｃは、冷却および加温兼用の兼用室であり、必要に応じて冷却室と加温室に切り換えて使用される。ここでは、中央収納室４ｂが加温室として使用されている場合について説明する。
【０００４】
これらの収納室４ａ〜４ｃには、商品コラムがそれぞれ収容されており、これらの商品コラムは、上下方向に商品を収納していると共に、販売時に収納した商品のうち、最下位の商品を販売商品として下方に払い出すようになっている。また、各収納室４の下部には、エバポレータなどを備える冷却装置とヒータが設けられており、さらに、これらによって加温または冷却された空気を商品コラム側に送るファンが設けられている（いずれも図示せず）。
【０００５】
図５および図６に示すように、冷却室（左収納室）４ａと加温室（中央収納室）４ｂを仕切っている庫内仕切板１は、上下方向に延びる長方形状のものであり、２枚の側板部（板部）５と、これらの側板部５の周縁部間に設けられた周壁部６とを備えている。これらの側板部５および周壁部６によって画成される枠体１ａの内部空間には、真空断熱板２０が収容され、さらに、真空断熱板２０を包み込むように発泡ポリウレタン（断熱体）１２が充填されている。側板部５および周壁部６はそれぞれ、鋼板を加工することによって製作されており、枠体１ａは、これらを組み合わせ、固定することによって組み立てられている。庫内仕切板１の上縁の周壁部６には、孔６ａが形成されており、この孔６ａは、発泡ポリウレタン１２を充填する際に、注入孔として利用される。
【０００６】
発泡ポリウレタン１２は、庫内仕切板１の製造時に、原料であるジイソシアネート、ポリオールおよび触媒を反応させながら、上記孔６ａを介して注入する（ワンショット成形）ことによって、枠体１ａ内に充填されている。この発泡ポリウレタン１２を枠体１ａ内に充填する際に、発泡ポリウレタン１２が真空断熱板２０の四方の空間に入り込むことによって、発泡ポリウレタン１２の自己接着性によって真空断熱板２０は、枠体１ａ内に固定されている。
【特許文献１】特開平１１−１６７６７０号公報
【発明の開示】
【発明が解決しようとする課題】
【０００７】
従来の構成では、断熱体の自己接着性によって真空断熱板と断熱体とが互いに強固に接着する。このため、リサイクル時などにおいて真空断熱板と断熱体との分離分解作業が非常に煩雑となるという問題がある。
【０００８】
また、真空断熱板は芯材（断熱芯材）と、この芯材を袋状の外被材内部に密封する際に真空を引くことによって内部が真空状態に保持されているものである。外被材は芯材を覆って収容するだけの十分な大きさであるため、芯材密封後の外被材には皺折れが生じたり、芯材周囲にヒレ状のヒレ部が生じる。基材全体を真空断熱板とする場合は、このヒレ部を折り曲げて芯材自身を基材寸法としても寸法バラツキが大きく信頼性を確保できないという問題もあった。
【０００９】
また、商品収納庫内底部に配置した冷却／加熱ユニットから収納庫に吹出した冷気，ないし暖気が収納庫を循環する途上で、仕切板表面を直接洗流するように流れてその壁面に伝熱する。このために、隣接するコールド商品室とホット商品室の間の熱貫流量が大きくなって熱損失が増大する問題があった。
【００１０】
さらに、収納した商品を加温する加温室と、商品を冷却する冷却室との間に仕切板を配置した場合には、加温室内の熱によって真空断熱板およびその芯材が暖められ、芯材から水や二酸化炭素ガスなどが発生することがある。これらの水や二酸化炭素ガスなどが発生した場合、真空断熱板内の真空度が低下し、その断熱性が低下することによって、熱リークが発生し、加温室内の温度低下や冷却室内の温度上昇などを招く。これによって、自動販売機の収納庫における冷却効率および加温効率が低下し、消費電力量などのランニングコストが増大するという問題がある。
【００１１】
本発明は、上記従来の課題を解決するもので、冷却室と加温室を仕切るように配備した場合でも収納室間の熱リークを低減し、基材の寸法バラツキに対しても収納室間のシール性を確保した信頼性の高いとともに、隣り合う商品室相互間での伝熱を効果的に減少して熱損失の低減，省エネ化の推進が図れるように改良し、リサイクル時などには、容易に分解することができる自動販売機の庫内仕切板を提供することを目的とする。
【課題を解決するための手段】
【００１２】
上記従来の課題を解決するために、本発明の自動販売機の庫内仕切板は、商品を収納する収納庫内を左右に冷却室と加温室に断熱区画する自動販売機の庫内仕切板で、前記冷却室および前記加温室は、複数の商品を上下方向に並んだ状態で収納するとともに、販売時に最下位の商品を販売商品として払い出すように構成されており、前記庫内仕切板は上下方向に延びるとともに、断熱芯材を真空状態に密封した外被材で覆った真空断熱板と、充填発泡された断熱部材と、前記真空断熱板の表面を保護する保護シート部材とで構成し、前記真空断熱板の一面側に前記断熱部材を粘着材で接合し、他面側は前記保護シート部材を粘着材で接合して、内部に空気層が形成されるように前記真空断熱板と前記断熱部材の外周縁部を前記粘着材の粘着層で接合したものである。
【００１３】
これによって、真空断熱板と断熱部材との間に空気層が形成されて接合されるので熱貫流量を低減することができ加温室と冷却室の間の熱損失を抑制でき、また外周縁部のみ粘着しているのでリサイクル時に真空断熱板と断熱体との分離分解作業を容易に行うことができる。
【発明の効果】
【００１４】
本発明の自動販売機の庫内仕切板は、収納室間の熱リークを低減し、リサイクル時に真空断熱板と断熱体との分離分解作業を容易にできる。
【発明を実施するための最良の形態】
【００１５】
請求項１に記載の発明は、商品を収納する収納庫内を左右に冷却室と加温室に断熱区画する自動販売機の庫内仕切板であって、前記冷却室および前記加温室は、複数の商品を上下方向に並んだ状態で収納するとともに、販売時に最下位の商品を販売商品として払い出すように構成されており、前記庫内仕切板は上下方向に延びるとともに、断熱芯材は真空状態に密封した外被材で覆った真空断熱板と充填発泡された断熱部材と前記真空断熱板の表面を保護する保護シート部材とで構成され、前記真空断熱板の一面側に前記断熱部材を粘着材で接合し、他面側は前記保護シート部材を粘着材で接合して、内部に空気層が形成されるように前記真空断熱板と前記断熱部材の外周縁部を前記粘着材の粘着層で接合したものであり、真空断熱板と断熱部材との間に空気層が形成されて接合されるので熱貫流量を低減することができ加温室と冷却室の間の熱損失を抑制でき、また外周縁部のみ粘着しているのでリサイクル時に真空断熱板と断熱体との分離分解作業を容易に行うことができる。
【００１６】
請求項２に記載の発明は、請求項１に記載の発明にさらに、内部に空気層が形成されるように真空断熱板と保護シート部材の外周縁部を粘着材の粘着層で接合したものであり、さらに加温室と冷却室間の熱損失を低減でき、保護シート部材を真空断熱板から容易に剥がすことができるので、庫内仕切板のリサイクル時などにおいて、保護シート部材や断熱部材と真空断熱板との分解作業を容易に行うことが可能となる。
【００１７】
請求項３に記載の発明は、請求項１または２に記載の発明にさらに、自動販売機の前面開口部に対面する庫内仕切板の真空断熱板側に前記真空断熱材の長さにわたって軟質発泡樹脂の充填シール部材を形成したものであり、真空断熱板の寸法バラツキを吸収することができるので前面開口部のシール性を向上できる。
【００１８】
請求項４に記載の発明は、請求項１または２に記載の発明にさらに、保護シート部材は表面が樹脂製で形成されているものであり、防水性を確保することができる。
【００１９】
請求項５に記載の発明は、請求項１に記載の発明にさらに、真空断熱板の外被材の熱融着部が突出したヒレ部を折り曲げて、その上から保護シート部材を接合したものであり、断熱性を高めることができる。
【００２０】
請求項６に記載の発明は、請求項１に記載の発明にさらに、庫内仕切板の真空断熱板側が冷却室に、断熱部材側が加温室に面するように前記庫内仕切板を自動販売機の収納庫に配備したものであり、真空断熱板が加温室に面しないので温められることがなく、真空断熱板からガスが発生するのを抑えることができ、断熱性を維持することができる。
【００２２】
以下、本発明の実施の形態を図面に基づいて説明する。なお、各実施の形態の図中で図４から図６に対応する同一部材には同じ符号を付して、その詳細な説明は省略する。
【００２３】
（実施の形態１）
図１および図２は、本発明の一実施形態による自動販売機の庫内仕切板の分解斜視図および組立斜視図をそれぞれ示している。図３は、同実施の形態の自動販売機の庫内仕切板のＡ−Ａ線で切断した断面図である。
【００２４】
庫内仕切板１は、真空断熱板２０の片側面は縦長矩形状の保護シート部材３０が両面粘着性を有する粘着材４０によって挟着接合しており、真空断熱板２０のもう一方の片側面は硬質発泡ポリウレタン１２を材質とする断熱部材５０もまた両面粘着性を有する粘着材４０によって挟着接合されている。
【００２５】
保護シート部材３０の前面開口端面３１を覆って前枠部６０を取り付け、前枠部６０と真空断熱板２０との間には充填シール部材７０を埋設し、前枠部６０に取り付けられたパッキン８０などにより構成されている。
【００２６】
真空断熱板２０は芯材（断熱芯材）２０ａと、この芯材２０ａを袋状の外被材２０ｂ内部に密封する際に真空を引くことによって内部が真空状態に保持されているものである。外被材２０ｂは芯材２０ａを覆って収容するだけの十分な大きさであるため、芯材２０ａ密封後の外被材２０ｂは芯材２０ａ周囲にヒレ状のヒレ部２０ｃが生じる。このヒレ部２０ｃを芯材２０ａ側へ折り曲げた後、部分的にテープ等の仮固定部材９０により固定し、芯材２０ａ自身の外形サイズとして成形して庫内仕切板１の基材１´とする。
【００２７】
また、保護シート部材３０と断熱部材５０とは、庫内仕切板１を商品収納室に取り付けたときに表面となる面には、シート基材３０ａおよび樹脂シート３０ｂが順に積層されている。
【００２８】
このシート基材３０ａは、保護シート部材３０によって真空断熱板２０を粘着材４０によって挟着接合する際の接合面になったり、また、断熱部材５０を硬質発泡ウレタンスラブで製作する際のウレタンの接合面になるため、例えば紙などの接着性を有する材質を用いることにより、保護シート部材３０と真空断熱板２０とは強固に接合し、硬質発泡ウレタンの接合状態の良いスラブ材から断熱部材５０が製作できる。
【００２９】
一方、樹脂シート３０ｂは、シート基材３０ａへの結露による水分（水滴）の浸入を防止するので、水分によるシート基材３０ａや粘着材４０の劣化および接合状態の破壊を防ぎ、また、組立等の取り扱い時に真空断熱板２０の損傷を防ぐので、庫内仕切板１が商品収納庫内に取り付けられ冷却室と加温室とを仕切る場合、庫内仕切板１の保護シート部材３０と真空断熱板２０との接合状態を維持し、断熱部材５０の硬質発泡ウレタンの接合状態を維持する。
【００３０】
前枠部６０は、例えば鉄やアルミニウムなどの金属材でほぼＬ字状に形成されており、例えばポリエステルテープなどの取付部材１００を前枠部６０の全長にわたって貼り付け接合することにより、前枠部６０を保護シート部材３０の前面開口端面３１を覆って保護シート部材３０に取り付ける。前枠部６０の前端部には、ねじ孔６０ａが形成されており、パッキン８の後述する取付け孔８０ａとでパッキン８０を前枠部６０に取り付ける。
【００３１】
前枠部６０と真空断熱板２０との間には真空断熱板２０の長さにわたって、例えば軟質発泡ウレタン樹脂などで成形されて断熱性と圧縮時に弾性とを有する充填シール部材７０を自身の圧縮弾性により埋設する。
【００３２】
パッキン８０は、庫内仕切板１が商品収納庫内に取り付けられ、これを冷却室と加温室に仕切る場合において、商品収納庫の前面が図示しない断熱ドアによって閉鎖されるときに、その断熱ドアの背面に当接することで、庫内仕切板１の前端付近での冷却室および加温室間の空気の流れを遮断するためのものである。
【００３３】
このパッキン８０は、例えばゴムなどの弾性材からなり、取付け孔８０ａが上記前枠部６０よりも若干長く形成された取付部８０ｂに設けられている。なお、このパッキン８０を前枠部６０に取り付ける場合には、前枠部６０のねじ孔６０ａにパッキン８０の取付け孔８０ａを合わせてねじに取り付ける。
【００３４】
ここで、庫内仕切板１の製造方法について説明する。上記のように真空断熱板２０はこのヒレ部２０ｃを折り曲げた後、テープ等の仮固定部材９０により固定し、芯材２０ａ自身の外形サイズとして成形して庫内仕切板１の基材１´とする。
【００３５】
この成形された真空断熱板２０を基材１´として、保護シート部材３０に接合する際には、保護シート材３０の奥端面３０ｃの全長経路に基材１´の奥端部２０ｄを合わせて粘着材４０のよって挟着接合する。ここで、予め所定形状に成形された真空断熱板２０を外被材２０ｂのヒレ部２０ｃを折り曲げて真空断熱板２０の表面に仮り固定後に、この仮固定によって得られた真空断熱板２０の表面でヒレ部２０ｃを覆いながら保護シート部材３０を貼付ける。
【００３６】
ここで、保護シート部材３０の幅寸法ｄと成形された基材１´の幅寸法ｄ´とはｄ＞ｄ´にて形成し、この時点では保護シート部材３０の前面開口端面３１よりも内側に真空断熱板２０の前面開口部２０ｅが位置している。
【００３７】
次に、真空断熱板２０の前面開口部２０ｅに充填シール部材７０を当接させた状態で、前枠部６０のほぼＬ字状に形成された正面内側６０ｂを前面開口端面３１に合わせて保護シート部材３０を覆った状態で、例えばポリエステルテープなどの取付部材１００を前枠部６０の全長にわたって貼り付け接合することにより、前枠部６０を保護シート部材３０に取り付ける。このとき基材１´の前面に面する側、つまり真空断熱板２０の前面開口部２０ｅと前枠部６０の正面内側６０ｂとの間は、充填シール部材７０が自身の圧縮弾性により埋設している。
【００３８】
これにより、真空断熱板２０の芯材２０ａ自身の寸法バラツキやヒレ部２０ｃを折り曲げて芯材２０ａ自身の外形サイズを成形するときの寸法バラツキに対して、充填シール部材７０の圧縮度合いによって所望の真空断熱板２０の芯材２０ａ自身の外形サイズを得る。
【００３９】
そして、前枠部６０にパッキン８０を取り付けて、庫内仕切板１が完成する。このとき、充填シール部材７０は前枠部６０にパッキン８０を取り付けるねじの首下寸法よりも大きくして真空断熱板２０の損傷を防ぐようにする。
【００４０】
この庫内仕切板１を商品収納庫内に取り付ける場合には、その取り付けに先立ち、従来と同様に、庫内仕切板１の厚みとほぼ同じ幅を有する隔壁シール部材１１０を、商品収納庫内の天井面、背面および底面にわたり、庫内仕切板１を取り付けるべき位置に、側断面コ字状に取り付ける。そして、庫内仕切板１を、隔壁シール部材１１０に押し当てた状態で、図示しない取付金具を介して、商品収納庫内に取り付ける。これにより、商品収納庫内を左右２つの収納室に仕切り、例えば、一方の収納室を冷却室として、他方の収納室を加温室として利用することが可能となる。
【００４１】
以上詳述したように、本実施形態の庫内仕切板１およびその製造方法によれば、庫内仕切板１は真空断熱板２０を予め所定形状に成形し、保護シート部材３０で真空断熱板２０の表面を保護し、真空断熱板２０の商品収納庫の上面に対応する位置に隔壁シール部材１１０を形成させ、真空断熱板２０の前面開口部２０ｅに対応する位置に充填シール部材７０を備えており、充填シール部材７０は弾性部材で形成されている。これにより得られた庫内仕切板１は基材１´となる真空断熱板２０の寸法バラツキに対して、商品収納庫の上面方向は隔壁シール部材１１０の圧縮度により、また、前面方向には充填シール部材７０の圧縮度によって寸法バラツキを吸収するので、基材１´全体を真空断熱板２０にて形成される。
【００４２】
その結果、断熱性に優れ、防湿性を有したものになる。また、庫内仕切板１の製造において、予め所定形状に成形された真空断熱板２０を外被材のヒレ部２０ｃを折り曲げて真空断熱板２０の表面に仮り固定する仮固定工程の後に、この仮固定によって得られた真空断熱板２０の表面でヒレ部２０ｃを覆いながら保護シート部材３０を貼付する貼付工程にて製造するので、従来と異なり、製造現場での断熱材発泡作業などが不要となり、庫内仕切板１を効率よく低コストで製造することができる。
【００４３】
さらに、保護シート部材３０は基材１´となる真空断熱板２０の表面に粘着材を用いて接合することによって、従来のウレタンの発泡による自己接着性を利用して接着した場合と異なり、保護シート部材３０を基材１´となる真空断熱板２０から容易に剥がすことができる。
【００４４】
これにより、庫内仕切板１のリサイクル時などにおいて、保護シート部材３０と基材１´となる真空断熱板２０との分解作業を容易に行うことが可能となる。
【００４５】
また、充填シール部材７０として、断熱性に優れた軟質発泡樹脂（軟質ウレタンフォームなど）を用いることにより、庫内仕切板１に要求される断熱性を確保することができるとともに、真空断熱板２０の寸法バラツキに対して前面方向に充填シール部材７０の圧縮度によって寸法バラツキを吸収する。
【００４６】
さらに、保護シート部材３０として表面が樹脂製で形成することにより、庫内仕切板１に要求される防湿性を確保することができる。また金属ではなく表面のみ樹脂で保護シート部材３０を形成するので、庫内仕切板１の軽量化を図る。
【００４７】
また、真空断熱板２０の外被材２０ｂの熱融着部が突出したヒレ部２０ｃを折り曲げて、その上から保護シート部材３０を貼付けるので、ヒレ部２０ｃによる寸法バラツキを低減して真空断熱板２０の芯材２０ａを外形輪郭として基材１´を構成するので、優れた断熱性能を有する真空断熱板２０を庫内仕切板１のほぼ全面に配備できるので高い断熱性能を有した庫内仕切板１となり、このときの基材寸法も安定したものとなる。
【００４８】
また図３のように、粘着材４０の不織布や軟質発泡樹脂を基材４０ａとして、その両面に粘着性を持たせたものを使用して、庫内仕切板１の表面となる真空断熱板２０の面の外縁に沿って粘着材４０を貼って保護シート部材３０と接合すると、この基材４０ａの厚みによって真空断熱板２０と保護シート部材３０との間は、浮離させて接合している。これによって、商品室内を通風する循環冷気流，ないし暖気流は保護シート部材２０の表面に沿って通風するが、保護シート部材３０を真空断熱板２０から浮いた状態に布設してあるので、両者の間には伝熱性の低い停滞空気層１２０が介在することになるので、薄い保護シート部材３０を布設するだけの簡単な構造で高い断熱性を確保し、庫内仕切板１の断熱材部分への伝熱，熱貫流を抑制して熱損失を効果的に低減できる。
【００４９】
さらに、真空断熱板２０の側を加温して使用する頻度が高い庫内と反対側に配備するので、真空断熱板２０側が冷却室に、他方の断熱部材５０側が加温室にそれぞれ面するように配置されているので、真空断熱板２０と加温室の間に断熱部材５０が介在し、さらに真空断熱板２０と冷却室の距離が近くなることによって、真空断熱板２０が加温室の熱気によって加温されにくく、かつ冷却室の冷気によって冷却されやすくなる。
【００５０】
これによって、従来と同じ厚みの庫内仕切板１を用いた場合でも、真空断熱板２０の芯材２０ａから水や２酸化炭素ガスなどが発生しにくくなり、真空断熱板２０の断熱性が低下しなくなることによって、庫内仕切板１の断熱性を向上させることができる。したがって、自動販売機の商品収納庫３における冷却効率および加温効率が向上し、消費電力量などのランニングコストを削減することができる。
【００５１】
また、実施形態で示した庫内仕切板１の細部の構成などは、あくまで例示であり、本発明の趣旨の範囲内で適宜、変更することができる。
【産業上の利用可能性】
【００５２】
以上のように、本発明にかかる自動販売機の庫内仕切板は、基材の寸法バラツキに対しても収納室間のシール性を確保できるとともに、リサイクル時などに、容易に分解することができるので、保冷庫などの断熱部材や建材等の断熱パネルにも適用できる。
【図面の簡単な説明】
【００５３】
【図１】本発明の実施の形態１における自動販売機の庫内仕切板の分解斜視図
【図２】同実施の形態における自動販売機の庫内仕切板の組立斜視図
【図３】同実施の形態における自動販売機の庫内仕切板のＡ−Ａ線で切断した断面図
【図４】従来の自動販売機の商品収納庫の外観を示す斜視図
【図５】従来の自動販売機の庫内仕切板の側面図
【図６】従来の自動販売機の庫内仕切板の側面図のＡ−Ａ線で切断した断面図
【符号の説明】
【００５４】
１    庫内仕切板
４ａ  左収納庫
４ｂ  中央収納庫
４ｃ  右収納庫
２０  真空断熱板
２０ａ  芯材（断熱芯材）
２０ｂ  外被材
２０ｃ  ヒレ部
２０ｅ  前面開口部
３０  保護シート部材
４０  粘着材
５０  断熱部材
７０  充填シール部材
１１０  隔壁シール部材
【図１】
0005092595.tif 000002
【図２】
0005092595.tif 000003
【図３】
0005092595.tif 000004
【図４】
0005092595.tif 000005
【図５】
0005092595.tif 000006
【図６】
0005092595.tif 000007